(57)【要約】      （修正有）【課題】ＬＥＤを備えた照明ユニットを接離可能に複数連結してなり、端部に配置した第一の照明ユニットを第二の照明ユニットから切り離し、第一の照明ユニットを携帯可能な電灯として使用可能にするＬＥＤ照明装置を提供する。【解決手段】複数のＬＥＤを所定間隔毎に配設し、停電になった場合に商用電源から電池に切替える電源の切換手段と、前記電池の残量を確認する電池残量確認手段と、他の照明ユニットと電気回路を接続するコネクタ部とを備えてなる第一の照明ユニット１０Ｕと、複数のＬＥＤを所定間隔毎に配設し、他の照明ユニットと電気回路を接続するコネクタ部を少なくとも一端側に備えてなる第二の照明ユニット２０Ｕとを連結してなる。【選択図】図１
0003195904.tif 000002
【実用新案登録請求の範囲】
【請求項１】
複数のＬＥＤを所定間隔毎に配設し、停電になった場合に商用電源から電池に切替える電源の切換手段と、前記電池の残量を確認する電池残量確認手段と、他の照明ユニットと電気回路を接続するコネクタ部とを備えてなる第一の照明ユニットと、複数のＬＥＤを所定間隔毎に配設し、他の照明ユニットと電気回路を接続するコネクタ部を少なくとも一端側に備えてなる第二の照明ユニットとを連結してなり、前記第二の照明ユニットを少なくとも一つ備えてなることを特徴とするＬＥＤ照明装置。
【請求項２】
第一及び第二の照明ユニットは、断面略鍋底状の凹ケースと、前記ケースに嵌合し閉蓋する断面略逆鍋底状の凸カバーと、前記ケース内に配設され，少なくとも複数のＬＥＤを搭載した回路基板とからなることを特徴とする請求項１に記載のＬＥＤ照明装置。
【請求項３】
第一の照明ユニットに停電検知回路を備え、前記第一の照明ユニットを第二の照明ユニットから切り離し、前記第一の照明ユニットを携帯可能な電灯として使用可能にしたことを特徴とする請求項２に記載のＬＥＤ照明装置
【請求項４】
第一の照明ユニットに明るさセンサーを備え夜間のみ自動点灯可能にしたことを特徴とする請求項１〜３のいずれか１項に記載のＬＥＤ照明装置。
【考案の詳細な説明】
【技術分野】
【０００１】  本考案は、複数のＬＥＤを備えてなる長尺状照明ユニットを接離可能に複数連結してなるＬＥＤ照明装置に関する。
【背景技術】
【０００２】  ベース２ＡにＬＥＤ発光素子３が列設され、このＬＥＤ発光素子３に接続されたオスコネクタ４Ａが前記ベース２Ａの一端２ｃに設けられる一方、前記ＬＥＤ発光素子３に接続されたメスコネクタ５Ａが前記ベース２Ａの他端２ｄに設けられ、当該ベース２Ａのオスコネクタ４Ａと他のベース２Ａのメスコネクタ５Ａとが差込み接続されて相互に連結可能で、設置箇所に応じてサイズを自在に変更できるＬＥＤ照明装置として特開２００９−９９３６３号公報が提案されている。
【先行技術文献】
【特許文献】
【０００３】
【特許文献１】特開２００９−９９３６３号公報
【考案の概要】
【考案が解決しようとする課題】
【０００４】  しかし上記した従来のＬＥＤ照明装置は、停電になった場合に商用電源から電池に自動的に切替える電源の切換手段を備え、かつ、一方の最端部に配置した照明ユニットを他の照明ユニットから切り離し、該切り離した最端部の照明ユニットを携帯可能な電灯として使用可能にするものでない。【０００５】  本考案装置は、停電検知回路を備え、停電になった場合に商用電源から電池に自動的に切替える電源の切換手段を備え、端部に配置した第一の長尺状照明ユニットを第二の長尺状照明ユニットから切り離し、前記第一の長尺状照明ユニットを携帯可能な電灯として使用可能にすることを目的とする。さらに、前記電池の残量を確認する電池残量確認手段を備えることを目的とする。さらに、明るさセンサーを備え夜間のみ自動点灯を可能にすることを目的とする。
【課題を解決するための手段】
【０００６】  本考案にかかるＬＥＤ照明装置は、複数のＬＥＤを所定間隔毎に配設し，停電になった場合に商用電源から電池に切替える電源の切換手段と，前記電池の残量を確認する電池残量確認手段と，他の照明ユニットと電気回路（電力を供給する回路など）を接続するコネクタ部とを備えてなる第一の長尺状照明ユニットと、複数のＬＥＤを所定間隔毎に配設し，他の照明ユニットと電気回路を接続するコネクタ部を少なくとも一端側に備えてなる第二の長尺状照明ユニットとを連結してなり、前記第二の長尺状照明ユニットを少なくとも一つ備えてなることを特徴としたもので、これにより任意の長さのＬＥＤ照明装置を構成でき例えば、階段や手摺りの照明に用いることができる。さらに、停電になっても自動的に電源が電池に切り替り照明が途切れない。さらに、電池の残量を確認でき、停電時に照明がつかないといった不具合を防止できる。【０００７】  さらに、本考案にかかるＬＥＤ照明装置は上記記載において、第一及び第二の長尺状照明ユニットは、断面略鍋底状であって両側が外側に凸状の長尺ケースと、前記長尺ケースに嵌合し閉蓋する断面略逆鍋底状であって両側が外側に凸状の長尺カバーと、前記第一の長尺ケース内に配設され，少なくとも複数のＬＥＤ及び所望の電気回路部品を搭載した第一の回路基板と、前記第二の長尺ケース内に配設され，少なくとも複数のＬＥＤを搭載した第二の回路基板とからなることを特徴としたもので、これにより前記第一及び第二の回路基板を容易に前記第一及び第二の長尺ケース内に配設できる。また、各照明ユニットの連結も容易にできる。【０００８】  さらに、本考案にかかるＬＥＤ照明装置は上記記載において、第一の長尺状照明ユニットに停電検知回路を備え、前記第一の長尺状照明ユニットを第二の長尺状照明ユニットから切り離し、前記第一の長尺状照明ユニットを携帯可能な電灯として使用可能にしたことを特徴としたもので、これにより最端部に配置した第一の長尺状照明ユニットを第二の長尺状照明ユニットから切り離し、前記第一の長尺状照明ユニットを携帯可能な電灯として使用できる。【０００９】  さらに、本考案にかかるＬＥＤ照明装置は上記記載において、第一の長尺状照明ユニットに明るさセンサーを備え夜間のみ自動点灯可能にしたことを特徴としたもので、これにより省エネルギーを図れる。
【考案の効果】
【００１０】  上記構成により本考案のＬＥＤ照明装置は、任意の長さのＬＥＤ照明装置を容易に構成でき例えば、階段や手摺りの照明に用いることができる。さらに、停電になっても自動的に電源が電池に切り替り照明が途切れない。さらに、電池の残量を確認でき、停電時に照明がつかないといった不具合を防止できる。さらに、最端部に配置した第一の長尺状照明ユニットを第二の長尺状照明ユニットから切り離し、前記第一の長尺状照明ユニットを携帯可能な電灯として使用できる。さらに、夜間のみ自動点灯可能にしたことで省エネルギーを図れる。
【図面の簡単な説明】
【００１１】
【図１】  本考案の一実施形態におけるＬＥＤ照明装置の模式平面図
【図２】  図１を切断線Ｓ１−Ｓ１で切断した要部断面図
【図３】  図１を切断線Ｓ２−Ｓ２で切断した要部断面図
【図４】  カバーを取り外した第一照明ユニットの要部模式平面図
【図５】  本考案装置を構成するＬＥＤ照明部の回路図
【図６】  第一の照明ユニットを構成する電気回路図
【考案を実施するための形態】
【００１２】  本考案にかかるＬＥＤ照明装置１００は上述の通りである。本考案におけるＬＥＤ照明装置１００は図１に示すごとく第一の長尺状照明ユニット（以下、第一の照明ユニットと称す。）１０Ｕと第二の長尺状照明ユニット（以下、第二の照明ユニットと称す。）２０Ｕとを連結してなり、前記第二の照明ユニット２０Ｕを少なくとも一つ備えてなる。第一の照明ユニット１０Ｕは図４〜図６に示すごとく回路基板３０上に、少なくとも一つのＬＥＤ３７（発光ダイオード）、停電検知回路５０、非常用バックアップ電源リチューム電池３１、電池残量確認ＳＷ（スイッチ）３２、明暗検知回路６０を備えてなる。また、一端側に第二の照明ユニット２０Ｕと電気回路を接続するコネクタ７０を、多端側にスイッチング電源４０を備えてなる。
【００１３】    第二の照明ユニット２０Ｕは、回路基板１３０上に、所定間隔毎に配列した複数のＬＥＤ３８と、両端に他の照明ユニットと電気回路を接続するコネクタ（図示せず）をそれぞれ備えてなる。
【００１４】  ＬＥＤ照明装置１００は通常、商用電源１００Ｖを使用する。図６に示す様に、スイッチング電源ＡＣアダプタを介し商用電源から入力された電流はダイオードを経てコンデンサを充電し、抵抗を介してホトカプラーのコレクターに繋がる。コレクターはＳＣＲに繋がっていて、ホトカプラー内部のＬＥＤを点灯させＴＲのコレクターを、常時レベルを低くしている。従って、ＳＣＲのアノード、カソード間の導通は遮断されバッテリーからの電流は流れない。
【００１５】  商用電源が停電するとホトカプラー内のＬＥＤが消灯し、ＯＮしていたカソードがオープン状態になる。この時、商用電源にてダイオード経由で充電されていた電流が停止し、放電を開始する。入力側にはダイオードがあり、逆流は出来ないので抵抗により電流が制限されて一定時カソードに繋がり、ＳＣＲのカソードをＯＮし電池からの電源供給を開始する。開始が始まるとＳＣＲはその状態を保持し、電池が無くなるまで、また電池回路を一旦切るまで導通状態を保つ。
【００１６】  明暗検知回路は、Ｃｄｓにより明暗に応じて抵抗値が変化することに対し分圧で基準電圧と明暗電圧をコンパレータ（電圧比較器）にて判定し、暗くなればＬＥＤが点灯するようＳＷ（スイッチ）機能を持たせた。電池残量の確認は、回路基板に取り付けたチェッカー用ＳＷをＯＮさせてＬＥＤを点灯確認する構成とした。電池容量の残量が不足時は点灯が暗くなるか、最悪は点灯しない。
【００１７】  本考案のＬＥＤ照明ユニット１００は、断面略鍋底状であって両側が外側に凸状の長尺ケース１０と、前記長尺ケース１０に嵌合し閉蓋する断面略逆鍋底状であって両側が外側に凸状の長尺カバー２０と、前記第一の長尺ケース内に配設され，少なくとも複数のＬＥＤ及び所望の電気回路部品を搭載した第一の回路基板３０と、前記第二の長尺ケース内に配設され，少なくとも複数のＬＥＤを搭載した第二の回路基板１３０とからなる。
【００１８】  第一の照明ユニット１０Ｕの長さは例えば、略２００ｍｍ、第二の照明ユニット２０Ｕは例えば、略８００ｍｍに構成した。本考案のＬＥＤ照明装置１００は、震災等の深夜停電時、自動的に商用電源から電池に切替え自動点灯する。そして、第一の照明ユニット１０Ｕを第二の照明ユニット２０Ｕから切り離し、携帯可能な電灯として使用可能に構成した。なお、ＬＥＤ照明装置１００は例えば、階段や手摺の照明に使用できる。
【実施例】
【００１９】  以下、本考案の一実施形態におけるＬＥＤ照明装置を図面とともに説明する。
図１は本考案の一実施形態におけるＬＥＤ照明装置の模式平面図である。【００２０】  本考案のＬＥＤ照明装置１００は図１に示すごとく、１個のＬＥＤを配設した第一の照明ユニット１０Ｕと、３個のＬＥＤを所定間隔毎に配設した第二の照明ユニット２０Ｕを３つ連結してなり、階段の照明装置として使用可能に構成した。第一の照明ユニット１０Ｕと、３個の第二の照明ユニット２０Ｕとの相互連結はカバー２０とケース１０を用いて実施している（図示せず）。また、電気的結合はコネクタを用いて実施している（図示せず）。
【産業上の利用可能性】
【００２１】  本考案装置は階段や手摺りの夜間照明に限らず、廊下や壁面、物品ショーケースなどの照明に広く応用できるものである。
【符号の説明】
【００２２】１０Ｕ  第一の照明ユニット
２０Ｕ  第二の照明ユニット
１０  ケース
２０  カバー
３０、１３０  回路基板
３１  電池
３２  ＳＷ（スイッチ）
３３  ホトカプラー
３４  コンパレータ
３５  明暗ボリューム
３６  トランジスタ
３７、３８ＬＥＤ
３９、Ｃｄｓ
４０、スイッチング電源
５０  停電検知回路
６０  明暗検知回路
７０  コネクタ
１００  ＬＥＤ照明装置
【図１】
0003195904.tif 000003
【図２】
0003195904.tif 000004
【図３】
0003195904.tif 000005
【図４】
0003195904.tif 000006
【図５】
0003195904.tif 000007
【図６】
0003195904.tif 000008